(57)【要約】【課題】レース又はトレーニング中の馬の肢の腱の温度上昇を抑えた馬用バンデージの提供。【構成】衝撃緩衝の機能を損なうことなくレース中又はトレーニング中に馬の肢の腱の温度上昇を抑える機能を有する馬用バンデージである。【特許請求の範囲】
【請求項１】
衝撃緩衝の機能を損なうことなくレース中又はトレーニング中に馬の肢の腱の温度上昇を抑える機能を有する馬用バンデージ
【請求項２】
温度上昇を抑える機能がバンデージに空気流通孔を設けたことを特徴とする請求項１記載の馬用バンデージ。
【請求項３】
温度上昇を抑える機能がバンデージに空気流通孔を設けると共にバンデージ裏面にバンデージの周方向に凸条片を設けたことを特徴とする請求項１記載の馬用バンデージ。
【請求項４】
温度上昇を抑える機能がバンデージに空気流通孔を設けると共にバンデージ表面に空気流通孔に沿って長手方向に凸条片を設けたことを特徴とする請求項１記載の馬用バンデージ。
【発明の詳細な説明】
【技術分野】
【０００１】
本発明はレース又はトレーニング中に馬の肢に装着する馬用バンデージに関し、特にレース又はトレーニング中の馬の肢の腱の温度上昇を抑える機能を有する馬用バンデージに関する。
【背景技術】
【０００２】
優秀な競走馬の早期リタイヤの原因となっている屈腱炎は、不治の病と云われ、過酷なトレーニングや益々速くなって来たレースタイムが原因とされている。最近の研究により、真の原因はレースやトレーニング中に、運動により肢の腱の温度が45℃付近まで上昇し、腱の構成物であるコラーゲンを脆弱にすることで、腱に部分断絶を起こさせ、その結果、屈腱炎となっていることが明らかになった。腱の温度が蛋白質の抗し切れない領域まで上昇することが屈腱炎の原因と判明した今日、過酷な運動を短時間で終了し、腱の温度上昇を抑制する方法が採用される様になった。他方、競争馬のトレーニングやレース中に、競争馬にバンデージが装着されることが多い。バンデージは前、後肢の捻挫や自己損傷を防止する目的で競走馬の前肢及び後肢の腱及び靱帯部分に装着される帯状構造物であるが、同時にバンデージは衝撃緩衝の目的をも有するようにクッション性を保たしているため、断熱性が高く、その為、腱の温度上昇に荷担し、屈腱炎の発症を助長する結果となっている。
【０００３】
従来、レース又はトレーニング後に冷却シート、湿布剤等を塗布したガーゼなどを肢に貼着したりして出来るだけ速やかに腱の温度を下げ、屈腱炎を防止することが行われている。例えば、特許文献１には伸縮性のある支持体の片面に含水粘着層が積層されたシートからなる馬用冷却シートが開示されており、また、特許文献２にはバンデージの接着剤塗布支持体に接着させるのに適したヒドロゲル包帯が開示されている。
しかし、これらは何れも主としてレース又はトレーニング後の脚の下脚部に貼着して発熱している腱を冷却しようとするものであって、レース又はトレーニング中の腱の温度上昇を抑制しようとするものではない。
【特許文献１】特開２００１−２７１０４７号公報
【特許文献２】特開平７−４９６号公報
【発明の開示】
【発明が解決しようとする課題】
【０００４】
そこで、本発明者はレースやトレーニング中に生じる腱の温度上昇を抑えるべく鋭意検討した結果、本発明を完成したもので、本発明の目的はレースやトレーニング中の馬の肢の腱の温度上昇を抑える馬用バンデージを提供する。
【課題を解決するための手段】
【０００５】
本発明の要旨は、衝撃緩衝の機能を損なうことなくレース中又はトレーニング中に馬の肢の腱の温度上昇を抑える機能を有する馬用バンデージであり、温度上昇を抑える機能としては、例えばバンデージに空気流通孔を設けたり、或いは空気流通孔と共にバンデージ裏面にバンデージの周方向に凸條片を設けたり、又は空気流通孔と共にバンデージ表面にバンデージの長手方向に凸條片を設けたりすることが好ましい。
【発明の効果】
【０００６】
本発明は、バンデージに空気流通孔を設けたことによって、走行中にバンデージ裏面と肢の間に空気が導入されるので蒸れることがなく、その結果腱の温度上昇を抑制することが出来、更に凸条片を設けた場合は空気の移動を促すこととなり、より一層温度上昇を抑えることが出来るので屈腱症の発症を抑制することが出来る。
【発明を実施するための最良の形態】
【０００７】
本発明で使用するバンデージは通常馬の肢に装着、使用されているものであって、例えばクロロプレン等の合成ゴムからなる伸縮性のある弾性体で構成された衝撃緩衝機能を有するもので、その外側表面に合成皮革等が貼着されて自己損傷を防止するようになっている。そして、その端部には尾錠やマジックテープ（登録商標）が設けられており、馬が屹立したときに、肢の周りに尾錠やマジックテープ（登録商標）で固定する。
本発明ではこのような馬用バンデージに空気流通孔を設けるのであって、空気流通孔の大きさ、数及び位置などは任意であって、走行中にバンデージ裏面と肢の間に空気が導入されて蒸れなくすればよく、例えば馬の走行方向の前面及び後面に設けるのが好ましい。更に馬用バンデージの裏面（内側）に、前面の空気流通孔と後面の流通孔との間に凸条片を周方向に設けると、空気の流通が良くなると共にバンデージの裏面と馬の肢との間に空隙ができ、空気が前面の空気流通孔より導入され、馬の肢の表面に沿って後方の流通孔より円滑に排出され、これにより、空気は無理なく馬の肢表面の汗と接触し、気化熱を奪いさり、肢を冷却し、内部の腱の温度上昇を最少化し、屈腱炎の発症防止に役立てるので好ましい。また、バンデージの表面に凸条片を長手方向に設けると、走行中に空気流通孔に導入される空気量が大となるので、より一層肢を冷却することが出来るので好ましい。
本発明のバンデージは単純な構造で洗浄が容易に出来、且つ、従来のバンデージと同様な装着でよく、しかも軽量化されている。
【実施例】
【０００８】
実施例として本発明に係るバンデージを図面をもって示す。図１は本発明にかかるバンデージの裏面（内側）の平面図、図２はその表面（外側）、図３は斜視図である。
図１〜図３において、バンデージ１の一方の端部に二重のマジックテープ（登録商標）２よりなる締め具が設けられている。例えば、表裏がマジックテープ（登録商標）である一方の面を、バンデージ２の他方の端部に付けてあるマジックテープ（登録商標）２'の上に重ねて接合し、更にその上よりマジックテープ（登録商標）２''を重ね、これによって馬の肢の腱の周りに装着、固定する。そして、バンデージの表面には合成皮革等からなる当て材３が貼着されており、例えば後肢あるいはもう一方の前肢による自己損傷を防止している。このようなバンデージに表面から裏面にわたって貫通孔である空気流通孔４、４'がバンデージの長手方向に沿って二列に並んで設けられている。そして、一方の孔と他方の孔との間に凸条片５が貼着されている。貼着した凸条片の断面の大きさはとしては特に限定はないが、例えば断面約５ｍｍ×１０ｍｍ程度でバンデージの一周程度であった。
これを馬に装着する場合、バンデージ１の表面に貼着してある当て材３を肢の内側面にくるように装着すると、空気流通孔の一列４は走行方向の前面に、他の一列４'は後面にくる。この状態で走行すると、前面の孔より空気は導入され、他方の孔より排出されるので蒸れることはなく、従って、腱の構成物であるコラーゲンを脆弱にする温度以下に抑えることが出来る。
図４は他の実施例に係るバンデージの表面（外側）の平面図である。この実施例では凸条片５をバンデージの表面長手方向に貼着されているので、馬の走行中、凸条片５が抵抗体となって空気の導入量が大となりその結果温度上昇の抑制を良好にし、更に、後肢の衝突緩衝の機能を有する。
【図面の簡単な説明】
【０００９】
【図１】本発明に係るバンデージの表（外側）平面図
【図２】図１のバンデージの裏（裏面）平面図
【図３】図１のバンデージの斜視図
【図４】他の実施例のバンデージの表（外側）平面図
【符号の説明】
【００１０】
１  本発明に係るバンデージ      ２、２'、２''  マジックテープ（登録商標）
３  当て材      ４、４'、  空気孔      ５  凸条片
【図１】
2006239016.tif 000002
【図２】
2006239016.tif 000003
【図３】
2006239016.tif 000004
【図４】
2006239016.tif 000005